【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
検出端子に結合された検出回路と、
前記検出回路に応答する調節回路であって、前記調節回路は前記検出端子を通って流れる電流が第１の閾値電流レベルより小さいとき、前記検出端子を第１の電圧レベルに調節するように結合され、前記調節回路はさらに前記検出端子を通って流れる電流が前記第１の閾値電流レベルに達すると、前記検出端子を第２の電圧レベルに調節するように結合される、調節回路と、
前記検出端子が前記第２の電圧レベルに調節されるとき、前記検出端子を通って流れる電流に応答する、前記検出回路に結合された応答回路と
を備える電源コントローラ。
【請求項２】
前記検出端子が、前記検出端子を通って流れる電流が前記第１の閾値電流レベルに達してから遅延期間後に、前記第２の電圧レベルに調節される請求項１に記載の電源コントローラ。
【請求項３】
前記第２の電圧レベルが、前記第１の電圧レベルより低い請求項１に記載の電源コントローラ。
【請求項４】
前記第２の電圧レベルが、前記第１の電圧レベルより高い請求項１に記載の電源コントローラ。
【請求項５】
前記第２の電圧レベルが、前記第１の電圧レベルに等しい請求項１に記載の電源コントローラ。
【請求項６】
前記検出回路が、前記検出端子を通って流れる電流の大きさが前記第１の閾値電流レベルに達してから測定遅延期間後に、前記検出端子を通って流れる電流を検出するように結合される請求項５に記載の電源コントローラ。
【請求項７】
前記応答回路が、前記電源コントローラがリセットされるまで、前記電源コントローラをラッチ・オフするように結合される請求項１に記載の電源コントローラ。
【請求項８】
前記応答回路が、前記検出回路に応答して前記電源コントローラを自動再起動するように結合される請求項１に記載の電源コントローラ。
【請求項９】
前記検出端子が前記第２の電圧レベルに調節されているとき、前記検出端子を通って流れる電流が第２の閾値電流レベルより大きい場合に、前記応答回路が、前記電源コントローラをラッチ・オフするように結合される請求項１に記載の電源コントローラ。
【請求項１０】
前記検出端子が前記第２の電圧レベルに調節されているとき、前記検出端子を通って流れる電流が第２の閾値電流レベルより小さい場合に、前記応答回路が、前記電源コントローラを自動再起動するように結合される請求項１に記載の電源コントローラ。
【請求項１１】
検出端子に結合された検出回路と、
前記検出回路に応答する調節回路であって、前記調節回路は前記検出端子の電圧が第１の閾値電圧レベルより低いとき、前記検出端子を通って流れる電流を第１の電流値に調節するように結合され、前記調節回路はさらに前記検出端子の電圧が前記第１の閾値電圧レベルに達すると、前記検出端子を通って流れる電流を第２の電流値に調節するように結合される、調節回路と、
前記検出回路に結合され、前記検出端子を通って流れる電流が前記第２の電流レベルに調節されると、前記検出端子の電圧に応答する応答回路と
を備える電源コントローラ。
【請求項１２】
前記検出端子が、前記検出端子の電圧が前記第１の閾値電圧レベルに達してから遅延期間後に、前記第２の電流値に調節される請求項１１に記載の電源コントローラ。
【請求項１３】
前記第２の電流レベルが、前記第１の電流レベルより小さい請求項１１に記載の電源コントローラ。
【請求項１４】
前記第２の電流レベルが、前記第１の電流レベルより大きい請求項１１に記載の電源コントローラ。
【請求項１５】
前記第２の電流レベルが、前記第１の電流レベルに等しい請求項１１に記載の電源コントローラ。
【請求項１６】
前記検出回路が、前記検出端子の電圧が前記第１の閾値電圧レベルに達してから測定遅延期間後に、前記検出端子の電圧を検出するように結合される請求項１５に記載の電源コントローラ。
【請求項１７】
前記応答回路が、前記電源コントローラがリセットされるまで、前記電源コントローラをラッチ・オフするように結合される請求項１１に記載の電源コントローラ。
【請求項１８】
前記応答回路が、検出回路に応答して前記電源コントローラを自動再起動するように結合される請求項１１に記載の電源コントローラ。
【請求項１９】
前記検出端子が前記第２の電流レベルに調節されているとき、前記検出端子の電圧が第２の閾値電圧レベルより高い場合に、前記応答回路が、前記電源コントローラをラッチ・オフするように結合される請求項１１に記載の電源コントローラ。
【請求項２０】
前記検出端子が前記第２の電流レベルに調節されているとき、前記検出端子の電圧が第２の閾値電圧レベルより低い場合に、前記応答回路が、前記電源コントローラを自動再起動するように結合される請求項１１に記載の電源コントローラ。
【請求項２１】
検出端子に結合された検出回路と、
前記検出端子を通って流れる電流が、第１の電流閾値レベルに達した後、前記第１の閾値電流レベルから第２の閾値電流レベルまで変化するのにかかる時間を測定するように結合されたタイミング回路と、
前記検出回路に結合され、前記検出端子を通って流れる電流が前記第１の閾値電流レベルから前記第２の閾値電流レベルまで変化するのにかかる時間に応答する応答回路と
を備える電源コントローラ。
【請求項２２】
前記応答回路が、前記電源コントローラがリセットされるまで、前記電源コントローラをラッチ・オフするように結合される請求項２１に記載の電源コントローラ。
【請求項２３】
前記応答回路が、検出回路に応答して前記電源コントローラを自動再起動するように結合される請求項２１に記載の電源コントローラ。
【請求項２４】
前記検出端子を通って流れる電流が第１の閾値電流レベルから第２の閾値電流レベルまで変化するのにかかる時間が閾値期間より短い場合に、前記応答回路が、前記電源コントローラをラッチ・オフするように結合される請求項２１に記載の電源コントローラ。
【請求項２５】
前記検出端子を通って流れる電流が第１の閾値電流レベルから第２の閾値電流レベルまで変化するのにかかる時間が閾値期間より長い場合に、前記応答回路が、前記電源コントローラを自動再起動するように結合される請求項２１に記載の電源コントローラ。
【請求項２６】
電源コントローラの検出端子を検出するステップと、
前記検出端子を通って流れる電流が第１の閾値電流レベルより小さいとき、前記検出端子の検出に応答して前記検出端子を第１の電圧レベルに調節するステップと、
前記検出端子を通って流れる電流が前記第１の閾値電流レベルに達すると、前記検出端子に結合されたインピーダンスを測定するステップと、
前記検出端子に結合されたインピーダンスに応答して、電源コントローラ応答を発生するステップと
を含む電源を制御する方法。
【請求項２７】
前記検出端子に結合されたインピーダンスを測定する前記ステップが、前記検出端子を通って流れる電流を、前記検出端子上の複数の電圧レベルで検出するステップを含む請求項２６に記載の電源を制御する方法。
【請求項２８】
電源コントローラの検出端子を検出するステップと、
前記検出端子の電圧が第１の閾値電圧レベルより低いとき、前記検出端子の検出に応答して、前記検出端子を通って流れる電流を第１の電流値に調節するステップと、
前記検出端子の電圧が前記第１の閾値電圧レベルに達すると、前記検出端子に結合されたインピーダンスを測定するステップと
前記検出端子に結合されたインピーダンスに応答して、電源コントローラ応答を発生するステップと
を含む電源を制御する方法。
【請求項２９】
前記検出端子に結合されたインピーダンスを測定する前記ステップが、前記検出端子の電圧レベルを、前記検出端子を通って流れる複数の電流で検出するステップを含む請求項２８に記載の方法。
【請求項３０】
電源コントローラの検出端子を検出するステップと、
前記検出端子を通って流れる電流が、第１の電流閾値レベルに達した後、前記第１の閾値電流レベルから第２の閾値電流レベルまで変化するのにかかる時間を測定するステップと、
前記検出端子を通って流れる電流が前記第１の閾値電流レベルから前記第２の閾値電流レベルまで変化するのにかかる時間に応答して、電源コントローラ応答を発生するステップと
を含む電源を制御する方法。
【請求項３１】
電源であって、
正常動作の間、前記電源の入力電圧を示す検出端子電流を提供するよう結合される検出端子と、
障害状態の間、電流を伝えて前記検出端子電流を調節するよう結合されるツェナー・ダイオードを含む検知回路と、
前記検出端子電流を受けるよう結合されるコントローラとを含み、前記障害状態の間、前記コントローラは、前記検出端子電流に応答して求められる前記検知回路の計測されたインピーダンスに応答する、電源。
【請求項３２】
バイアスコンデンサをさらに含み、前記バイアスコンデンサは、前記バイアスコンデンサの両端の電圧に応答して前記検出端子電流を調節するよう電流を提供するように前記検知回路に結合される、請求項３１に記載の電源。
【請求項３３】
前記ツェナー・ダイオードは、正常動作状態の間、前記バイアスコンデンサの両端の電圧から前記検出端子を絶縁するよう結合される、請求項３２に記載の電源。
【請求項３４】
前記コントローラはさらに、通常動作の間、前記検出端子電流に応答して、前記電源の出力を調節するよう結合される、請求項３１に記載の電源。
【請求項３５】
前記検知回路は過電圧保護回路である、請求項３１に記載の電源。
【請求項３６】
検出端子は、検出端子電流が第１の電流閾値を下回ると、第１の閾値電圧に調節される、請求項３１に記載の電源。
【請求項３７】
検出端子は、検出端子電流が前記第１の電流閾値に到達すると、第２の閾値電圧に調節される、請求項３６に記載の電源。
【請求項３８】
前記コントローラは、前記検出端子が前記第２の電圧レベルに調節されると、前記検出端子電流の値に依存して応答するよう結合される、請求項３７に記載の電源。
【請求項３９】
前記検出端子電流が前記第１の電流閾値に到達すると、前記障害状態が判定される、請求項３６に記載の電源。